(57)【要約】【課題】内筒部材とラセン部材の間に回動時のトルクに影響が出ないように故意に隙間を発生させているが、隙間を発生させざるを得ない構造のためオーリングの接触部を支点として内筒部材とラセン部材にガタツキが発生し、それによって商品価値を下げてしまっていた。【解決手段】内筒部材とラセン部材を回動させることによって皿部材を上下移動させることのできる棒状化粧品収納容器において、ラセン部材が内筒部材内に収納される部位に形成された抜け出し防止機構と、この抜け出し防止機構の上下に配置されラセン部材外周面及び内筒部材内周面に接する２個の軟質材によって形成されたオーリングを配置したことでガタツキを防止する構造を形成することで解決している。【選択図】図１
2016096875.tif 000002
【特許請求の範囲】
【請求項１】
筒状の内筒部材と、この内筒部材下方内に回動可能ではあるが抜け出し不能に収納されるラセン部材と、口紅などの棒状化粧品を保持し内筒部材内で上下移動可能に形成された皿部材と、内筒部材とラセン部材を回動させることによって皿部材を上下移動させることのできる上下移動機構と、ラセン部材の下部を覆う袴部材と、この袴部材と着脱自在に嵌合する蓋部材とから形成される口紅などの棒状化粧品収納容器において、ラセン部材が内筒部材内に収納される部位に形成された抜け出し防止機構と、この抜け出し防止機構の上下に配置されラセン部材外周面及び内筒部材内周面に接する２個の軟質材によって形成されたオーリングを配置したことでガタツキを防止する構造を形成したことを特徴とする棒状化粧品収納容器。
【発明の詳細な説明】
【技術分野】
【０００１】
本発明は化粧品などの棒状化粧品を繰り出しして使用する棒状化粧品収納容器に関する。
【背景技術】
【０００２】
従来の棒状化粧品収納容器は筒状の内筒部材と、この内筒部材下方内に回動可能ではあるが抜け出し不能に収納されるラセン部材と、口紅などの棒状化粧品を保持し内筒部材内で上下移動可能に形成された皿部材と、内筒部材とラセン部材を回動させることによって皿部材を上下移動させることのできる上下移動機構と、ラセン部材の下部を覆う袴部材と、この袴部材と着脱自在に嵌合する蓋とから形成されていた。
【０００３】
このように構成された棒状化粧品収納容器では皿部材を上下移動させる際に内筒部材と袴部材を回動させるトルク値を管理する必要があり、その仕組みとしてラセン部材のラセン部材が内筒部材に収納される位置に軟質ゴム材のオーリングを配置し内筒部材内周面とラセン部材外周面に同時に軽く接触させるという手段が用いられていた。
【０００４】
このような構造としては特開平０９−０５６４６５号があり、さらにオーリングを２個備えた構造としては特開平０６−２５３９２８号がある。
【先行技術文献】
【特許文献】
【０００５】
【特許文献１】特開平０９−０５６４６５
【特許文献２】特開平０６−２５３９２８
【発明の概要】
【発明が解決しようとする課題】
【０００６】
このように構成された口紅などの収納容器は、ラセン部材と内筒部材の分解防止機構としてラセン部材に周方向の溝を形成し、その溝と対応する位置の内筒部材を外部からロールまき閉め加工などによる手段によって内筒部材内面がラセン部材に形成された周方向の溝に入るまで変形させることによって内容部材とラセン部材を回動可能ではあるが抜け出し不能となる抜け出し防止機構が形成されている。
【０００７】
軟質ゴム材によって形成させたオーリングはこの抜け出し防止機構の上あるいは下のいずれか一方に配置され、内筒部材内周面とラセン部材外周面に同時に軽く接触させることで収納容器の繰り出しトルクを得るように作用するものである。
【０００８】
このように構成され口紅などの棒状化粧品収納容器は内筒部材とラセン部材が接触してしまっては回動時のトルクに影響が出てしまうので内筒部材とラセン部材の間に故意に隙間を発生させ、オーリングだけが内筒部材とラセン部材に接触させる構造であったが、隙間を発生させざるを得ない構造のためオーリングの両部材との接触部を支点として内筒部材とラセン部材に首振りのような動きが生じてしまい、それが内筒部材のガタツキとして判断されることになり、それによって商品価値を下げてしまっていた。
【０００９】
特開平０６−２５３９２８の説明では、「図１に示す制動手段Ａは、スライド筒５の外周壁にオーリング８を２個配することで、固定筒９との圧接をより強固なものとしている」と記載されているが、オーリングを２個配置するのは制動手段としてであり、ガタツキの防止ではない。
【００１０】
本発明は以上のような従来の欠点に鑑み、内筒部材とラセン部材にガタツキが発生することが無く、それによって商品価値を下げてしまうということのない棒状化粧品収納容器を得ることにある。
【課題を解決するための手段】
【００１１】
上記の課題を解決するため本発明は筒状の内筒部材と、この内筒部材下方内に回動可能ではあるが抜け出し不能に収納されるラセン部材と、口紅などの棒状化粧品を保持し内筒部材内で上下移動可能に形成された皿部材と、内筒部材とラセン部材を回動させることによって皿部材を上下移動させることのできる上下移動機構と、ラセン部材の下部を覆う袴部材と、この袴部材と着脱自在に嵌合する蓋部材とから形成される口紅などの棒状化粧品収納容器において、ラセン部材が内筒部材内に収納される部位に形成された抜け出し防止機構と、この抜け出し防止機構の上下に配置されラセン部材外周面及び内筒部材内周面に接する２個の軟質材によって形成されたオーリングを配置したことでガタツキを防止する構造を形成したことで構成されている。
【発明の効果】
【００１２】
本発明は以上の説明のように抜け出し防止機構の上下に軟質材によって形成された２個のオーリングを配置したことによって内筒部材のガタツキを防止することができる。
【図面の簡単な説明】
【００１３】
【図１】発明の実施形態を示す断面説明図である。
【図２】棒状化粧品を使用する状態の断面説明図である。
【図３】主要部品の斜視説明図である。
【図４】従来の実施形態を示す断面説明図である。
【発明を実施するための形態】
【００１４】
口紅などの棒状化粧品収納容器において、ラセン部材が内筒部材内に収納される部位に形成された抜け出し防止機構と、この抜け出し防止機構の上下に配置されラセン部材外周面及び内筒部材内周面に接する２個の軟質材によって形成されたオーリングを配置したことでガタツキを防止する構造を形成したことを特徴としている。
【実施例】
【００１５】
以下、図面に示す実施例により本発明を詳細に説明する。
図１ないし図３に示す発明の実施例において、１は化粧品収納容器でこの化粧品収納容器１は内筒部材２、皿部材３、ラセン部材４、袴部材５、オーリング６、６、蓋７とから構成されている。
【００１６】
２は内筒部材で、この内筒部材２は上下が開口された筒状に形成され、下方部には軸心方向の切割９が形成されている。
【００１７】
３は棒状化粧品１０を保持し内筒部材２内に上下移動可能に形成された皿部材で、この皿部材３の下方には前記内筒部材２の切割９内まで達する係合ピン１１が形成されていることによって皿部材３は内筒部材２に上下移動可能ではあるが回動不能に形成されているとともに、この皿部材３の内部には雌ネジ１２が形成されている。
【００１８】
４は前記内筒部材２の下方に内筒部材２に対して回動可能ではあるが抜け出し不能に係止されたラセン部材で、このラセン部材４の上部には前記皿部材３の雌ネジ１２と螺合する雄ネジ１３が形成されていることによって内筒部材２とラセン部材４を回動させることによって皿部材３、及び棒状化粧品１０を内筒部材２内で上下移動させることのできる上下移動機構８が形成され、さらに下方部には内筒部材２を巻き閉めなどの手段によって抜け出し不能とすることが出来る巻き閉め溝１５が全周に渡って形成されている。
【００１９】
１４は内筒部材２とラセン部材４の抜け出し防止機構で、この抜け出し防止機構１４はラセン部材４に形成された巻き閉め溝１５と、この巻き閉め溝１５と対応する部位の内筒部材２を外部よりロール巻き閉め加工などの手段によって巻き閉め溝１５内まで変形させることで内筒部材２とラセン部材４を回動可能ではあるが抜け出し不能とすることが出来る構造によって形成されている。
【００２０】
６は内筒部材２とラセン部材４の間に配置され、両部材に軽く接することで内筒部材２とラセン部材４の回動に付加トルクを発生させるNBR材、シリコン材などの軟質ゴム材で形成されたオーリングで、このオーリング６は抜け出し防止機構１４の上下に１個ずつ、計２個が配置されている。
【００２１】
５はラセン部材４の下部外周を覆うように固定する袴部材である。
【００２２】
７は前記袴部材５の上部に形成された蓋嵌合用突起１６と着脱自在に嵌合する蓋である。
【００２３】
このように構成された化粧品収納容器１は作動トルクを管理する関係上内容部材２とラセン部材４が接触しないよう内筒部材２内周面とラセン部材４外周面の間に故意に隙間を発生させているものであるが、２個のオーリング６、６が抜け出し防止機構１４の上下に配置されているため、オーリング６の接触部も２箇所となりその２箇所が内筒部材２とラセン部材４を支えるため、内筒部材２とラセン部材４のガタツキを確実に防止することができる。
【産業上の利用可能性】
【００２４】
本発明は以上のように構成されているので、棒状化粧品に限らず棒状製品を収納して繰り出しする構造のものであれば何にでも使用することができる。
【符号の説明】
【００２５】
1  化粧品収納容器
２  内筒部材
３  皿部材
４  ラセン部材
５  袴部材
６  オーリング
７  蓋
８  上下移動機構
９  切割
１０  棒状化粧品
１１  係合ピン
１２  雌ネジ
１３  雄ネジ
１４  抜け出し防止機構
１５  巻き閉め溝
１６  蓋嵌合用突起
【図１】
2016096875.tif 000003
【図２】
2016096875.tif 000004
【図３】
2016096875.tif 000005
【図４】
2016096875.tif 000006